(57)【要約】【課題】太陽電池部の出力特性が変動した場合であっても、電力の供給効率の低下を低減する。【解決手段】電力供給システムは、複数の単位太陽電池を有する太陽電池部と、レファレンス太陽電池部と、太陽電池の出力特性を測定する特性測定部と、指令値に基づいて太陽電池部が出力した電力を変換する電力変換部と、制御部とを備える。制御部は、特性測定部が測定したレファレンス太陽電池部の出力特性に基づいて、最適動作点を推定する処理と、推定した最適動作点に応じた指令値を電力変換部に出力する処理と、推定した最適動作点における太陽電池部の出力電力の期待値と電力値とが所定量以上乖離している場合に、太陽電池部の出力特性を特性測定部に測定させる処理と、太陽電池部の出力特性に基づいて、最適動作点を検出する処理と、検出した最適動作点に応じた変更指令値を電力変換部に出力する処理とを実行する。【選択図】図１
2014081669.tif 000002
【特許請求の範囲】
【請求項１】
複数の単位太陽電池を有する太陽電池部と、
等しい測定条件において、前記単位太陽電池と等しい出力特性を有するレファレンス太陽電池部と、
太陽電池の出力特性を測定する特性測定部と、
指令値に基づいて前記太陽電池部が出力した電力を変換し、変換した電力を供給する電力変換部と、
前記指令値を出力することにより、前記電力変換部を制御する制御部と
を備え、
前記制御部は、
前記特性測定部が測定した前記レファレンス太陽電池部の出力特性に基づいて、前記太陽電池部の最適動作点を推定する推定処理と、
前記推定処理において推定した前記最適動作点に応じた前記指令値を前記電力変換部に出力する第１出力処理と、
推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定処理と、
前記特性測定部が測定した前記太陽電池部の出力特性に基づいて、前記最適動作点を検出する検出処理と、
前記検出処理において検出した前記最適動作点に応じた変更指令値を前記指令値として、前記電力変換部に出力する第２出力処理と
を実行することを特徴とする電力供給システム。
【請求項２】
前記制御部は、
前記推定処理において、前記レファレンス太陽電池部の出力特性と、前記複数の単位太陽電池の接続情報とに基づいて、前記最適動作点を推定する
ことを特徴とする請求項１に記載の電力供給システム。
【請求項３】
前記太陽電池部の出力と、前記レファレンス太陽電池部の出力とを切替えて前記特性測定部に供給する切替部を備え、
前記制御部は、
前記推定処理において、前記切替部に前記レファレンス太陽電池部の出力を前記特性測定部に供給させて、前記レファレンス太陽電池部の出力特性を前記特性測定部に測定させ、
前記測定処理において、前記期待値と前記電力値とが前記所定量以上乖離している場合に、前記切替部に前記太陽電池部の出力を前記特性測定部に供給させて、前記太陽電池部の出力特性を前記特性測定部に測定させる
ことを特徴とする請求項１又は請求項２に記載の電力供給システム。
【請求項４】
前記太陽電池部は、所定の個数の前記単位太陽電池が接続された部分太陽電池部を複数備えており、
前記切替部は、
さらに、前記部分太陽電池部ごとの出力を切替えて前記特性測定部に供給し、
前記制御部は、
前記期待値と前記電力値とが前記所定量以上乖離している場合に、前記切替部に前記部分太陽電池部ごとの出力を前記特性測定部に供給させて、前記部分太陽電池部ごとの出力特性を前記特性測定部に測定させるとともに、前記特性測定部が測定した前記部分太陽電池部ごとの出力特性に基づいて、前記部分太陽電池部ごとに異常を診断する異常診断処理と、
前記異常診断処理によって異常が診断された場合に、異常が診断された前記部分太陽電池部を示す情報を出力する異常出力処理と
を実行することを特徴とする請求項３に記載の電力供給システム。
【請求項５】
前記部分太陽電池部は、前記所定の個数の前記単位太陽電池が直列に接続されている
ことを特徴とする請求項４に記載の電力供給システム。
【請求項６】
前記制御部は、
前記期待値と前記電力値との比に基づいて、前記期待値と前記電力値とが前記所定量以上乖離しているか否かを判定する
ことを特徴とする請求項１から請求項５のいずれか一項に記載の電力供給システム。
【請求項７】
前記レファレンス太陽電池部は、前記太陽電池部が有する前記複数の単位太陽電池のうちの１つである
ことを特徴とする請求項１から請求項６のいずれか一項に記載の電力供給システム。
【請求項８】
複数の前記レファレンス太陽電池部を備え、
前記制御部は、
前記推定処理において、前記複数の前記レファレンス太陽電池部の出力特性の平均値に基づいて、前記最適動作点を推定する
ことを特徴とする請求項１から請求項７のいずれか一項に記載の電力供給システム。
【請求項９】
太陽電池の出力特性を測定する特性測定部と、
指令値に基づいて、複数の単位太陽電池を有する太陽電池部が出力した電力を変換し、変換した電力を供給する電力変換部と、
前記電力変換部を制御する制御部と
を備え、
前記制御部は、
前記特性測定部が測定した、等しい測定条件において前記単位太陽電池と等しい出力特性を有するレファレンス太陽電池部の出力特性に基づいて、前記太陽電池部の最適動作点を推定する推定処理と、
前記推定処理において推定した前記最適動作点に応じた前記指令値を前記電力変換部に出力する第１出力処理と、
推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定処理と、
前記特性測定部が測定した前記太陽電池部の出力特性に基づいて、前記最適動作点を検出する検出処理と、
前記検出処理において検出した前記最適動作点に応じた変更指令値を前記指令値として、前記電力変換部に出力する第２出力処理と
を実行することを特徴とする電力供給制御装置。
【請求項１０】
複数の単位太陽電池を有する太陽電池部と、等しい測定条件において、前記単位太陽電池と等しい出力特性を有するレファレンス太陽電池部と、太陽電池の出力特性を測定する特性測定部と、指令値に基づいて前記太陽電池部が出力した電力を変換し、変換した電力を供給する電力変換部とを備える電力供給システムの電力供給制御方法であって、
前記特性測定部が測定した前記レファレンス太陽電池部の出力特性に基づいて、前記太陽電池部の最適動作点を推定する推定ステップと、
前記推定ステップにおいて推定した前記最適動作点に応じた前記指令値を前記電力変換部に出力する第１出力ステップと、
推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定ステップと、
前記特性測定部が測定した前記太陽電池部の出力特性に基づいて、前記最適動作点を検出する検出ステップと、
前記検出ステップにおいて検出した前記最適動作点に応じた変更指令値を前記指令値として、前記電力変換部に出力する第２出力ステップと
を含むことを特徴とする電力供給制御方法。
【請求項１１】
太陽電池の出力特性を測定する特性測定部と、指令値に基づいて、複数の単位太陽電池を有する太陽電池部が出力した電力を変換し、変換した電力を供給する電力変換部とを備える電力供給制御装置としてのコンピュータに、
前記特性測定部が測定した、等しい測定条件において前記単位太陽電池と等しい出力特性を有するレファレンス太陽電池部の出力特性に基づいて、前記太陽電池部の最適動作点を推定する推定ステップと、
前記推定ステップにおいて推定した前記最適動作点に応じた前記指令値を前記電力変換部に出力する第１出力ステップと、
推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定ステップと、
前記特性測定部が測定した前記太陽電池部の出力特性に基づいて、前記最適動作点を検出する検出ステップと、
前記検出ステップにおいて検出した前記最適動作点に応じた変更指令値を前記指令値として、前記電力変換部に出力する第２出力ステップと
を実行させるためのプログラム。
【発明の詳細な説明】
【技術分野】
【０００１】
本発明は、電力供給システム、電力供給制御装置、電力供給制御方法、及びプログラムに関する。
【背景技術】
【０００２】
近年、複数の太陽電池モジュールを含む太陽電池部により発電した電力を供給する電力供給システムが知られている（例えば、特許文献１を参照）。特許文献１に記載されているような電力供給システムでは、山登り法と呼ばれる、太陽電池部の最適動作点を機械的に探索する局所探索法に基づいて、最大電力点追従制御（ＭＰＰＴ制御）を行っている。
【先行技術文献】
【特許文献】
【０００３】
【特許文献１】特開平８−６４６５３号公報
【発明の概要】
【発明が解決しようとする課題】
【０００４】
しかしながら、上述のような電力供給システムは、例えば、太陽電池部の一部が影になるなどの日射量が変動する環境下では、太陽電池部の出力特性が変動して、太陽電池部の出力に複数の電力ピークが発生する場合がある。上述のような電力供給システムでは、このような場合に、太陽電池部の最適動作点の変化に追従することができないために、最大電力での動作が困難となることがある。
このように、上述のような電力供給システムは、太陽電池部の出力特性が変動した場合に、電力の供給効率が低下することがある。
【０００５】
本発明は、上記問題を解決すべくなされたもので、太陽電池部の出力特性が変動した場合であっても、電力の供給効率の低下を低減することができる電力供給システム、電力供給制御装置、電力供給制御方法、及びプログラムを提供することにある。
【課題を解決するための手段】
【０００６】
上記問題を解決するために、本発明の一態様は、複数の単位太陽電池を有する太陽電池部と、等しい測定条件において、前記単位太陽電池と等しい出力特性を有するレファレンス太陽電池部と、太陽電池の出力特性を測定する特性測定部と、指令値に基づいて前記太陽電池部が出力した電力を変換し、変換した電力を供給する電力変換部と、前記指令値を出力することにより、前記電力変換部を制御する制御部とを備え、前記制御部は、前記特性測定部が測定した前記レファレンス太陽電池部の出力特性に基づいて、前記太陽電池部の最適動作点を推定する推定処理と、前記推定処理において推定した前記最適動作点に応じた前記指令値を前記電力変換部に出力する第１出力処理と、推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定処理と、前記特性測定部が測定した前記太陽電池部の出力特性に基づいて、前記最適動作点を検出する検出処理と、前記検出処理において検出した前記最適動作点に応じた変更指令値を前記指令値として、前記電力変換部に出力する第２出力処理とを実行することを特徴とする電力供給システムである。
【０００７】
また、本発明の一態様は、上記の電力供給システムにおいて、前記制御部は、前記推定処理において、前記レファレンス太陽電池部の出力特性と、前記複数の単位太陽電池の接続情報とに基づいて、前記最適動作点を推定することを特徴とする。
【０００８】
また、本発明の一態様は、上記の電力供給システムにおいて、前記太陽電池部の出力と、前記レファレンス太陽電池部の出力とを切替えて前記特性測定部に供給する切替部を備え、前記制御部は、前記推定処理において、前記切替部に前記レファレンス太陽電池部の出力を前記特性測定部に供給させて、前記レファレンス太陽電池部の出力特性を前記特性測定部に測定させ、前記測定処理において、前記期待値と前記電力値とが前記所定量以上乖離している場合に、前記切替部に前記太陽電池部の出力を前記特性測定部に供給させて、前記太陽電池部の出力特性を前記特性測定部に測定させることを特徴とする。
【０００９】
また、本発明の一態様は、上記の電力供給システムにおいて、前記太陽電池部は、所定の個数の前記単位太陽電池が接続された部分太陽電池部を複数備えており、前記切替部は、さらに、前記部分太陽電池部ごとの出力を切替えて前記特性測定部に供給し、前記制御部は、前記期待値と前記電力値とが前記所定量以上乖離している場合に、前記切替部に前記部分太陽電池部ごとの出力を前記特性測定部に供給させて、前記部分太陽電池部ごとの出力特性を前記特性測定部に測定させるとともに、前記特性測定部が測定した前記部分太陽電池部ごとの出力特性に基づいて、前記部分太陽電池部ごとに異常を診断する異常診断処理と、前記異常診断処理によって異常が診断された場合に、異常が診断された前記部分太陽電池部を示す情報を出力する異常出力処理とを実行することを特徴とする。
【００１０】
また、本発明の一態様は、上記の電力供給システムにおいて、前記部分太陽電池部は、前記所定の個数の前記単位太陽電池が直列に接続されていることを特徴とする。
【００１１】
また、本発明の一態様は、上記の電力供給システムにおいて、前記制御部は、前記期待値と前記電力値との比に基づいて、前記期待値と前記電力値とが前記所定量以上乖離しているか否かを判定することを特徴とする。
【００１２】
また、本発明の一態様は、上記の電力供給システムにおいて、前記レファレンス太陽電池部は、前記太陽電池部が有する前記複数の単位太陽電池のうちの１つであることを特徴とする。
【００１３】
また、本発明の一態様は、上記の電力供給システムにおいて、複数の前記レファレンス太陽電池部を備え、前記制御部は、前記推定処理において、前記複数の前記レファレンス太陽電池部の出力特性の平均値に基づいて、前記最適動作点を推定することを特徴とする。
【００１４】
また、本発明の一態様は、太陽電池の出力特性を測定する特性測定部と、指令値に基づいて、複数の単位太陽電池を有する太陽電池部が出力した電力を変換し、変換した電力を供給する電力変換部と、前記指令値を出力することにより、前記電力変換部を制御する制御部とを備え、前記制御部は、前記特性測定部が測定した、等しい測定条件において前記単位太陽電池と等しい出力特性を有するレファレンス太陽電池部の出力特性に基づいて、前記太陽電池部の最適動作点を推定する推定処理と、前記推定処理において推定した前記最適動作点に応じた前記指令値を前記電力変換部に出力する第１出力処理と、推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定処理と、前記特性測定部が測定した前記太陽電池部の出力特性に基づいて、前記最適動作点を検出する検出処理と、前記検出処理において検出した前記最適動作点に応じた変更指令値を前記指令値として、前記電力変換部に出力する第２出力処理とを実行することを特徴とする電力供給制御装置である。
【００１５】
また、本発明の一態様は、複数の単位太陽電池を有する太陽電池部と、等しい測定条件において、前記単位太陽電池と等しい出力特性を有するレファレンス太陽電池部と、太陽電池の出力特性を測定する特性測定部と、指令値に基づいて前記太陽電池部が出力した電力を変換し、変換した電力を供給する電力変換部とを備える電力供給システムの電力供給制御方法であって、前記特性測定部が測定した前記レファレンス太陽電池部の出力特性に基づいて、前記太陽電池部の最適動作点を推定する推定ステップと、前記推定ステップにおいて推定した前記最適動作点に応じた前記指令値を前記電力変換部に出力する第１出力ステップと、推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定ステップと、前記特性測定部が測定した前記太陽電池部の出力特性に基づいて、前記最適動作点を検出する検出ステップと、前記検出ステップにおいて検出した前記最適動作点に応じた変更指令値を前記指令値として、前記電力変換部に出力する第２出力ステップとを含むことを特徴とする電力供給制御方法である。
【００１６】
また、本発明の一態様は、太陽電池の出力特性を測定する特性測定部と、指令値に基づいて、複数の単位太陽電池を有する太陽電池部が出力した電力を変換し、変換した電力を供給する電力変換部とを備える電力供給制御装置としてのコンピュータに、前記特性測定部が測定した、等しい測定条件において前記単位太陽電池と等しい出力特性を有するレファレンス太陽電池部の出力特性に基づいて、前記太陽電池部の最適動作点を推定する推定ステップと、前記推定ステップにおいて推定した前記最適動作点に応じた前記指令値を前記電力変換部に出力する第１出力ステップと、推定した前記最適動作点において前記太陽電池部が出力する電力の期待値と、前記太陽電池部が前記電力変換部に出力している電力値とが所定量以上乖離している場合に、前記太陽電池部の出力特性を前記特性測定部に測定させる測定ステップと、前記特性測定部が測定した前記太陽電池部の出力特性に基づいて、前記最適動作点を検出する検出ステップと、前記検出ステップにおいて検出した前記最適動作点に応じた変更指令値を前記指令値として、前記電力変換部に出力する第２出力ステップとを実行させるためのプログラムある。
【発明の効果】
【００１７】
本発明によれば、太陽電池部の出力特性が変動した場合であっても、電力の供給効率の低下を低減することができる。
【図面の簡単な説明】
【００１８】
【図１】第１の実施形態による電力供給システムの構成を示すブロック図である。
【図２】本実施形態における太陽電池アレイの最適動作点を推定する処理の一例を示す図である。
【図３】第１の実施形態における電力供給の制御処理の一例を示すフローチャートである。
【図４】本実施形態における太陽電池アレイの最適動作点を検出する処理の一例を示す図である。
【図５】第２の実施形態による電力供給システムの構成を示すブロック図である。
【図６】第２の実施形態における電力供給の制御処理の一例を示すフローチャートである。
【図７】太陽電池アレイとレファレンス太陽電池部との配置の変形例を示す図である。
【発明を実施するための形態】
【００１９】
以下、本発明の一実施形態による電力供給システムにつて、図面を参照して説明する。
［第１の実施形態］
図１は、本実施形態による電力供給システム１を示す概略ブロック図である。
図１において、電力供給システム１は、太陽電池アレイ２、レファレンス太陽電池部２０、及び電力供給制御装置１００を備えている。
【００２０】
太陽電池アレイ２（太陽電池部）は複数の太陽電池モジュールＳＣを有しており、受光した光に応じて発電し、発電した電力を出力する。太陽電池アレイ２は、例えば、Ｎ個×Ｍ個に配列された太陽電池モジュールＳＣを備えている。太陽電池アレイ２は、例えば、所定の個数（例、Ｎ個）の太陽電池モジュールＳＣが直列に接続された直列太陽電池部１０を複数（例、Ｍ個）備えている。すなわち、太陽電池アレイ２は、Ｍ個の直列太陽電池部１０（１０＿１〜１０＿Ｍ）を備えている。
【００２１】
ここで、太陽電池モジュールＳＣ（単位太陽電池）は、例えば、太陽電池パネルのことであり、太陽電池の基本単位である太陽電池素子（太陽電池セル）を所定の枚数配列して、モジュール化（パッケージ化）したものである。
また、直列太陽電池部１０（部分太陽電池部）は、所定の個数（例、Ｎ個）の太陽電池モジュールＳＣが直列に接続されている。また、Ｍ個の直列太陽電池部１０（１０＿１〜１０＿Ｍ）の各出力線は、並列に接続されて、後述する電力供給制御装置１００のパワーコンディショナ１５０に発電した電力を供給する。
【００２２】
レファレンス太陽電池部２０（レファレンス太陽電池モジュール）は、等しい測定条件において、太陽電池アレイ２が備える太陽電池モジュールＳＣと等しい出力特性を有する太陽電池である。ここで、出力特性とは、例えば、太陽電池のＩ−Ｖ特性（出力電流−出力電圧特性、以下、Ｉ−Ｖカーブという）のことである。太陽電池のＩ−Ｖカーブの詳細については、後述する。レファレンス太陽電池部２０は、例えば、太陽電池モジュールＳＣと同じ製品（同じ型番、型式）のモジュールである。なお、ここでいう等しい出力特性には、ほぼ等しい出力特性も含まれる。
また、太陽電池のＩ−Ｖカーブは、同一の太陽電池であっても太陽電池が受光する光の強さ（例えば、日射量）や温度などの環境の変化に応じて変動する。そのため、レファレンス太陽電池部２０は、太陽電池アレイ２との環境の差が生じないように、太陽電池アレイ２の近傍（例えば、太陽電池アレイ２の中心などの各太陽電池モジュールＳＣからの距離が短くなるような位置）に配置されている。レファレンス太陽電池部２０は、後述する電力供給制御装置１００のパワーコンディショナ１５０に発電した電力を供給する。
【００２３】
電力供給制御装置１００は、太陽電池アレイ２が発電した直流電力を交流電力に変換して、変換した電力を負荷や外部装置などの供給先に供給するとともに、太陽電池アレイ２の最適動作点において、電力を供給するように制御するパワーコンディショナ（ＰＣＳ）１５０を備えている。
また、パワーコンディショナ１５０は、スイッチ部３０、インバータ部４０、Ｉ−Ｖカーブ測定部５０、制御部６０、及びスイッチ７０を備えている。
【００２４】
スイッチ部３０は、太陽電池アレイ２の出力とレファレンス太陽電池部２０の出力とを切替えて、太陽電池アレイ２の出力とレファレンス太陽電池部２０の出力とのうちの一方をＩ−Ｖカーブ測定部５０に供給する。また、スイッチ部３０は、太陽電池アレイ２の出力をインバータ部４０に供給する状態か否かを切替える。なお、スイッチ部３０は、制御部６０から出力される制御信号（不図示）に基づいて、各種切替えが制御される。
また、スイッチ部３０は、スイッチ３１〜３３を備えている。なお、本実施形態において、スイッチ部３０は、切替部に対応する。
【００２５】
スイッチ３１は、太陽電池アレイ２の出力をインバータ部４０に供給する状態か否かを切替えるスイッチ素子である。スイッチ３１は、一端が太陽電池アレイ２の出力線に、他端がインバータ部４０の入力線に、それぞれ接続されている。
【００２６】
スイッチ３２は、太陽電池アレイ２の出力をＩ−Ｖカーブ測定部５０に供給する状態か否かを切替えるスイッチ素子である。スイッチ３２は、一端が太陽電池アレイ２の出力線に、他端がＩ−Ｖカーブ測定部５０の入力線に接続されているノードＮ１に、それぞれ接続されている。
【００２７】
スイッチ３３は、レファレンス太陽電池部２０の出力をＩ−Ｖカーブ測定部５０に供給する状態か否かを切替えるスイッチ素子である。スイッチ３３は、一端がレファレンス太陽電池部２０の出力線に、他端がＩ−Ｖカーブ測定部５０の入力線に接続されているノードＮ１に接続されている。
【００２８】
なお、スイッチ部３０は、レファレンス太陽電池部２０のＩ−Ｖカーブを測定する場合（第１の測定モードの場合）に、制御部６０によって、スイッチ３１が導通状態に、スイッチ３２が非導通状態（遮断状態）に、スイッチ３３が導通状態に、それぞれ設定される。すなわち、この状態では、レファレンス太陽電池部２０は、スイッチ部３０を介して出力をＩ−Ｖカーブ測定部５０に供給し、太陽電池アレイ２は、スイッチ部３０を介してインバータ部４０に電力を供給する。
また、スイッチ部３０は、太陽電池アレイ２全体のＩ−Ｖカーブを測定する場合（第２の測定モードの場合）に、制御部６０によって、スイッチ３１が非導通状態（遮断状態）に、スイッチ３２が導通状態に、スイッチ３３が非導通状態（遮断状態）に、それぞれ設定される。すなわち、この状態では、太陽電池アレイ２は、スイッチ部３０を介して出力をＩ−Ｖカーブ測定部５０に供給するとともに、スイッチ部３０を介してインバータ部４０に電力の供給を停止する。
【００２９】
インバータ部４０（電力変換部）は、例えば、電圧指令値に基づいて、太陽電池アレイ２の直流電力を交流電力に変換するインバータ回路である。インバータ部４０は、太陽電池アレイ２を電圧指令値に対応する動作点で動作させるように、太陽電池アレイ２の直流電力を交流電力に変換する。そして、インバータ部４０は、変換した交流電力を、スイッチ７０を介して外部に供給する。
このように、インバータ部４０（電力変換部）は、指令値（例えば、電圧指令値）に基づいて太陽電池アレイ２が出力した電力を変換し、変換した電力を外部（供給先）に供給する。
【００３０】
また、インバータ部４０は、電力測定部４１を備えている。電力測定部４１は、例えば、太陽電池アレイ２の出力電圧及び出力電流を測定し、測定した出力電圧及び出力電流に基づいて、太陽電池アレイ２の出力電力を測定（算出）する。インバータ部４０は、電力測定部４１が測定した太陽電池アレイ２の出力電力値を、太陽電池アレイ２がインバータ部４０に出力している電力値（実発電電力値ＰＲ）として、制御部６０に出力する。
【００３１】
スイッチ７０は、インバータ部４０の出力線に配置されているスイッチ素子であり、例えば、電力を供給する外部において短絡などの異常が発生した場合に、電力の供給を停止（遮断）する。
【００３２】
Ｉ−Ｖカーブ測定部５０（特性測定部）は、太陽電池（例えば、太陽電池アレイ２及びレファレンス太陽電池部２０）のＩ−Ｖカーブを測定する。Ｉ−Ｖカーブ測定部５０は、例えば、太陽電池の出力に対して、シンク電流（吸い込み電流）を変更して、対応する電圧値を測定することにより、Ｉ−Ｖカーブを測定する。Ｉ−Ｖカーブ測定部５０は、所定の周期（例えば、数秒間隔）で定期的に、レファレンス太陽電池部２０のＩ−Ｖカーブ（後述する図２の波形Ｗ１参照）を測定する。また、Ｉ−Ｖカーブ測定部５０は、後述する太陽電池アレイ２が出力する電力の期待値（電力期待値ＰＥ）と、上述した実発電電力値ＰＲとが大きく乖離（例えば、所定量以上乖離）している場合に、太陽電池アレイ２全体のＩ−Ｖカーブを測定する。
Ｉ−Ｖカーブ測定部５０は、測定したＩ−Ｖカーブを制御部６０に出力する。
【００３３】
制御部６０は、例えば、ＣＰＵ（Central Processing Unit）などを含み、パワーコンディショナ１５０を統括的に制御する。制御部６０は、例えば、インバータ部４０を制御する。
また、制御部６０は、電力制御部６１、動作点推定部６２、動作点検出部６３、及び測定制御部６４を備えている。
【００３４】
電力制御部６１は、後述する動作点推定部６２が推定した太陽電池アレイ２の最適動作点、又は、後述する動作点検出部６３が検出した太陽電池アレイ２の最適動作点に対応する電圧指令値を生成し、電圧指令値を指令値としてインバータ部４０に出力する。
例えば、電力制御部６１は、定期的にＩ−Ｖカーブ測定部５０が測定したレファレンス太陽電池部２０のＩ−Ｖカーブに基づいて、動作点推定部６２によって推定された最適動作点に応じた電圧指令値をインバータ部４０に出力する（第１出力処理）。
また、例えば、電力制御部６１は、太陽電池アレイ２の電力期待値ＰＥと、実発電電力値ＰＲとが大きく乖離している場合に、太陽電池アレイ２全体のＩ−Ｖカーブに基づいて、動作点検出部６３によって検出された最適動作点に応じた電圧指令値（変更指令値）をインバータ部４０に出力する（第２出力処理）。
【００３５】
動作点推定部６２は、定期的にＩ−Ｖカーブ測定部５０が測定したレファレンス太陽電池部２０のＩ−Ｖカーブに基づいて、太陽電池アレイ２の最適動作点を推定する推定処理を実行する。動作点推定部６２は、この推定処理において、例えば、レファレンス太陽電池部２０のＩ−Ｖカーブと、複数の太陽電池モジュールＳＣの接続情報とに基づいて、最適動作点を推定する。ここで、最適動作点とは、太陽電池アレイ２が発電した電力の供給効率が最大になる動作点のことである。最適動作点は、例えば、太陽電池アレイ２の出力電力が最大になる点である。また、複数の太陽電池モジュールＳＣの接続情報とは、例えば、直列個数（Ｎ）×並列個数（Ｍ）のような太陽電池アレイ２の構成を示すシステム情報である。
動作点推定部６２は、レファレンス太陽電池部２０のＩ−Ｖカーブと、このシステム情報（Ｎ個×Ｍ個）とに基づいて、太陽電池アレイ２の最適動作点を推定する。
【００３６】
ここで、図２を参照して、動作点推定部６２による最適動作点を推定する推定処理について説明する。
図２は、動作点推定部６２による太陽電池アレイ２の最適動作点を推定する処理の一例を示す図である。
この図において、グラフはＩ−Ｖ特性を示している。また、このグラフにおいて、縦軸は、出力電流（電流Ｉ）を示し、横軸は、出力電圧（電圧Ｖ）を示している。
【００３７】
波形Ｗ１は、Ｉ−Ｖカーブ測定部５０が測定したレファレンス太陽電池部２０のＩ−Ｖカーブの一例を示している。ここで、点ＰＴ１は、レファレンス太陽電池部２０のＩ−Ｖカーブにおける最適動作点を示している。また、電圧Ｖ１は、最適動作点（点ＰＴ１）に対応するレファレンス太陽電池部２０の出力電圧を示し、電流Ｉ１は、最適動作点（点ＰＴ１）に対応するレファレンス太陽電池部２０の出力電流を示している。
また、波形Ｗ２は、動作点推定部６２が推定した太陽電池アレイ２全体のＩ−Ｖカーブの一例を示している。ここで、点ＰＴ２は、太陽電池アレイ２の最適動作点を示している。また、電圧Ｖ２は、太陽電池アレイ２の最適動作点（点ＰＴ２）に対応するレファレンス太陽電池部２０の出力電圧を示し、電流Ｉ２は、太陽電池アレイ２の最適動作点（点ＰＴ２）に対応するレファレンス太陽電池部２０の出力電流を示している。
【００３８】
動作点推定部６２は、Ｉ−Ｖカーブ測定部５０が測定したレファレンス太陽電池部２０のＩ−Ｖカーブを取得し、取得したレファレンス太陽電池部２０のＩ−Ｖカーブに基づいて、次のように太陽電池アレイ２全体のＩ−Ｖカーブを生成（推定）する。
動作点推定部６２は、レファレンス太陽電池部２０のＩ−Ｖカーブ（波形Ｗ１）の電圧値を直列個数（Ｎ）倍した電圧を推定電圧として算出する。また、動作点推定部６２は、レファレンス太陽電池部２０のＩ−Ｖカーブ（波形Ｗ１）の電流値を並列個数（Ｍ）倍した電流を推定電流として、算出する。そして、動作点推定部６２は、推定電圧と推定電流との組みを、波形Ｗ２に示す太陽電池アレイ２全体のＩ−Ｖカーブとして生成（推定）する。
【００３９】
動作点推定部６２は、生成（推定）した太陽電池アレイ２全体のＩ−Ｖカーブにおいて、出力電力が最大になる点ＰＴ２を太陽電池アレイ２の最適動作点として推定する。なお、動作点推定部６２は、レファレンス太陽電池部２０の最適動作点（点ＰＴ１）に対応する電圧Ｖ１を直列個数（Ｎ）倍して電圧Ｖ２を算出し、最適動作点（点ＰＴ１）に対応する電流Ｉ１を並列個数（Ｍ）倍して電流Ｉ２を算出することにより、太陽電池アレイ２の最適動作点（点ＰＴ２）を推定してもよい。
【００４０】
また、動作点推定部６２は、下記の式（１）に基づいて、推定した最適動作点（点ＰＴ２）において太陽電池アレイ２が出力する電力の期待値（電力期待値ＰＥ）を算出する。
【００４１】
電力期待値ＰＥ＝電圧Ｖ２×電流Ｉ２  ・・・  （１）
【００４２】
このように、動作点推定部６２は、定期的にＩ−Ｖカーブ測定部５０が測定したレファレンス太陽電池部２０のＩ−Ｖカーブ（波形Ｗ１）に基づいて、太陽電池アレイ２の最適動作点（点ＰＴ２）を推定する。動作点推定部６２は、推定した太陽電池アレイ２の最適動作点を電力制御部６１に出力する。
また、動作点推定部６２は、上述の式（１）に基づいて算出した電力期待値ＰＥを測定制御部６４に出力する。
【００４３】
次に、再び図１の説明に戻り、制御部６０の残りの構成について説明する。
測定制御部６４は、上述した推定処理において、スイッチ部３０にレファレンス太陽電池部２０の出力をＩ−Ｖカーブ測定部５０に供給させて、波形Ｗ１に示すようなレファレンス太陽電池部２０のＩ−ＶカーブをＩ−Ｖカーブ測定部５０に測定させる（第１の測定モード）。
【００４４】
また、測定制御部６４は、上述した電力期待値ＰＥと、太陽電池アレイ２がインバータ部４０に出力している実発電電力値ＰＲとが所定量以上乖離している場合に、太陽電池アレイ２全体のＩ−ＶカーブをＩ−Ｖカーブ測定部５０に測定させる測定処理を実行する（第２の測定モード）。なお、実発電電力値ＰＲは、インバータ部４０の電力測定部４１によって測定される。
具体的に、測定制御部６４は、電力期待値ＰＥと実発電電力値ＰＲとの比に基づいて、電力期待値ＰＥと実発電電力値ＰＲとが所定量（例えば、１０％）以上乖離しているか否かを判定する。例えば、測定制御部６４は、（実発電電力値ＰＲ／電力期待値ＰＥ）が所定の閾値（例えば、０．９）以下である場合に、所定量以上乖離していると判定する。測定制御部６４は、この場合に、スイッチ部３０に太陽電池アレイ２の出力をＩ−Ｖカーブ測定部５０に供給させて、太陽電池アレイ２全体のＩ−ＶカーブをＩ−Ｖカーブ測定部５０に測定させる。
【００４５】
動作点検出部６３は、Ｉ−Ｖカーブ測定部５０が測定した太陽電池アレイ２全体のＩ−Ｖカーブに基づいて、太陽電池アレイ２の最適動作点を検出する検出処理を実行する。動作点検出部６３は、例えば、Ｉ−Ｖカーブ測定部５０が測定した太陽電池アレイ２全体のＩ−ＶカーブからＰ−Ｖ特性（出力電力−出力電圧特性、以下、Ｐ−Ｖカーブという）を生成し、出力電力が最大となる動作点を最適動作点として検出する。なお、動作点検出部６３による検出処理の詳細につては、図４を参照して後述する。
動作点検出部６３は、検出した太陽電池アレイ２の最適動作点を電力制御部６１に出力する。
【００４６】
次に、本実施形態における電力供給システム１の動作について説明する。
図３は、本実施形態に係る電力供給システム１における電力供給の制御処理の一例を示すフローチャートである。
なお、図３において、レファレンス太陽電池部２０をレファレンス太陽電池モジュールと表記している。
【００４７】
図３において、パワーコンディショナ１５０の制御部６０は、まず、レファレンス太陽電池部２０のＩ−Ｖカーブを測定する（ステップＳ１０１）。すなわち、制御部６０の測定制御部６４は、スイッチ部３０にレファレンス太陽電池部２０の出力をＩ−Ｖカーブ測定部５０に供給させて、レファレンス太陽電池部２０のＩ−ＶカーブをＩ−Ｖカーブ測定部５０に測定させる。ここで、スイッチ部３０は、スイッチ３１が導通状態に、スイッチ３２が非導通状態（遮断状態）に、スイッチ３３が導通状態に、それぞれ設定される。この設定により、レファレンス太陽電池部２０の出力は、Ｉ−Ｖカーブ測定部５０に供給される。そして、Ｉ−Ｖカーブ測定部５０は、レファレンス太陽電池部２０の出力に対して、例えば、シンク電流（吸い込み電流）を変更して、図２の波形Ｗ１に示すようなレファレンス太陽電池部２０のＩ−Ｖカーブを測定する。測定制御部６４は、Ｉ−Ｖカーブ測定部５０が測定したレファレンス太陽電池部２０のＩ−Ｖカーブを取得する。
【００４８】
なお、ステップＳ１０１において、Ｉ−Ｖカーブ測定部５０がレファレンス太陽電池部２０のＩ−Ｖカーブを測定している間、インバータ部４０には、太陽電池アレイ２から継続して電力が供給される。そのため、インバータ部４０は、Ｉ−Ｖカーブ測定部５０がレファレンス太陽電池部２０のＩ−Ｖカーブを測定している間であっても、継続して交流電力を外部に供給する。
【００４９】
次に、制御部６０は、太陽電池アレイ２の最適動作点を推定する（ステップＳ１０２）。すなわち、制御部６０の動作点推定部６２は、測定制御部６４からレファレンス太陽電池部２０のＩ−Ｖカーブを取得し、取得したレファレンス太陽電池部２０のＩ−Ｖカーブと太陽電池アレイ２のシステム情報（例、Ｎ個×Ｍ個）とに基づいて、図２の波形Ｗ２に示すような太陽電池アレイ２全体のＩ−Ｖカーブを推定する。そして、動作点推定部６２は、太陽電池アレイ２全体のＩ−Ｖカーブに基づいて、太陽電池アレイ２の最適動作点（図２の点ＰＴ２参照）を推定する。
【００５０】
次に、制御部６０は、太陽電池アレイ２の電圧指令値を最適動作電圧に変更する（ステップＳ１０３）。すなわち、制御部６０の電力制御部６１は、動作点推定部６２が推定した最適動作点に対応する電圧である最適動作電圧（図２の電圧Ｖ２）を電圧指令値として、インバータ部４０に出力する。インバータ部４０は、太陽電池アレイ２の出力電圧が、制御部６０から出力された電圧指令値に一致するように制御して、太陽電池アレイ２から出力された直流電力を交流電力に変換し、変換した交流電力を外部に供給する。
【００５１】
次に、制御部６０は、電力期待値ＰＥと実発電電力値ＰＲとに乖離があるか否かを判定する（ステップＳ１０４）。具体的に、制御部６０に測定制御部６４は、インバータ部４０の電力測定部４１が測定した実発電電力値ＰＲを取得するとともに、例えば、動作点推定部６２が算出した電力期待値ＰＥを取得する。測定制御部６４は、（実発電電力値ＰＲ／電力期待値ＰＥ）が所定の閾値以下であるか否かを判定する。測定制御部６４は、（実発電電力値ＰＲ／電力期待値ＰＥ）が所定の閾値以下である場合（ステップＳ１０４：ＹＥＳ）に、電力期待値ＰＥと実発電電力値ＰＲとに乖離があると判定し、処理をステップＳ１０５に進める。
また、測定制御部６４は、（実発電電力値ＰＲ／電力期待値ＰＥ）が所定の閾値より大きいである場合（ステップＳ１０４：ＮＯ）に、電力期待値ＰＥと実発電電力値ＰＲとに乖離がないと判定し、処理をステップＳ１０１に戻す。制御部６０は、このステップＳ１０１〜ステップＳ１０４の処理が繰り返すことにより、レファレンス太陽電池部２０のＩ−Ｖカーブ測定と、最適動作電圧による電圧指令値の変更とが繰り返され、太陽電池アレイ２の最大電力点の追従制御を実行する。
【００５２】
次に、ステップＳ１０５において、制御部６０は、太陽電池アレイ２全体のＩ−Ｖカーブを測定する。すなわち、制御部６０の測定制御部６４は、スイッチ部３０に太陽電池アレイ２の出力をＩ−Ｖカーブ測定部５０に供給させて、太陽電池アレイ２全体のＩ−ＶカーブをＩ−Ｖカーブ測定部５０に測定させる。ここで、スイッチ部３０は、スイッチ３１が非導通状態（遮断状態）に、スイッチ３２が導通状態に、スイッチ３３が非導通状態（遮断状態）に、それぞれ設定される。この設定により、太陽電池アレイ２の出力は、Ｉ−Ｖカーブ測定部５０に供給される。そして、Ｉ−Ｖカーブ測定部５０は、太陽電池アレイ２の出力に対して、例えば、シンク電流（吸い込み電流）を変更して、太陽電池アレイ２全体のＩ−Ｖカーブを測定する。測定制御部６４は、Ｉ−Ｖカーブ測定部５０が測定した太陽電池アレイ２全体のＩ−Ｖカーブを取得する。
【００５３】
なお、ステップＳ１０５において、Ｉ−Ｖカーブ測定部５０が太陽電池アレイ２全体のＩ−Ｖカーブを測定している間、インバータ部４０には、スイッチ３１により太陽電池アレイ２からの電力供給が停止される。
【００５４】
次に、制御部６０は、太陽電池アレイ２の最適動作点を検出する（ステップＳ１０６）。すなわち、制御部６０の動作点検出部６３は、測定制御部６４から太陽電池アレイ２全体のＩ−Ｖカーブを取得し、取得した太陽電池アレイ２全体のＩ−Ｖカーブに基づいて、太陽電池アレイ２の最適動作点を検出する。具体的に、動作点検出部６３は、太陽電池アレイ２全体のＩ−Ｖカーブに基づいて、後述する図４（ｂ）の波形Ｗ５に示すような太陽電池アレイ２全体のＰ−Ｖカーブを生成し、出力電力（Ｐ）が最大になる点を最適動作点として検出する。
【００５５】
ここで、図４を参照して、動作点検出部６３による太陽電池アレイ２の最適動作点の検出処理について説明する。
図４は、動作点検出部６３による太陽電池アレイ２の最適動作点を検出する処理の一例を示す図である。
図４（ａ）において、グラフはＩ−Ｖ特性を示している。また、このグラフにおいて、縦軸は、太陽電池アレイ２の出力電流（電流Ｉ）を示し、横軸は、太陽電池アレイ２の出力電圧（電圧Ｖ）を示している。波形Ｗ２及び点ＰＴ２は、図２と同様に、動作点推定部６２が推定した太陽電池アレイ２全体のＩ−Ｖカーブ及び最適動作点を示している。なお、電圧Ｖ２及び電流Ｉ２はついても図２と同様である。また、波形Ｗ３は、Ｉ−Ｖカーブ測定部５０が測定した太陽電池アレイ２全体のＩ−Ｖカーブを示し、点ＰＴ３は、波形Ｗ３における最適動作点を示している。また、電圧Ｖ３は、波形Ｗ３における最適動作点（点ＰＴ３）に対応する太陽電池アレイ２の出力電圧を示し、電流Ｉ３は、波形Ｗ３における最適動作点（点ＰＴ３）に対応する太陽電池アレイ２の出力電流を示している。
【００５６】
また、図４（ｂ）において、グラフはＰ−Ｖ特性を示している。また、このグラフにおいて、縦軸は、太陽電池アレイ２の出力電力（電力Ｐ）を示し、横軸は、太陽電池アレイ２の出力電圧（電圧Ｖ）を示している。波形Ｗ４は上述の波形Ｗ２に対応する太陽電池アレイ２のＰ−Ｖカーブを示し、波形Ｗ５は上述の波形Ｗ３に対応する太陽電池アレイ２のＰ−Ｖカーブを示している。ここで、点ＰＴ２１は、動作点推定部６２が推定した波形Ｗ４上の最適動作点を示し、点ＰＴ２２は、動作点推定部６２が推定した最適動作点に対応する最適動作電圧における実動作点を示している。また、点ＰＴ３１は、Ｉ−Ｖカーブ測定部５０が測定した太陽電池アレイ２全体のＩ−Ｖカーブに基づくＰ−Ｖカーブにおいて最大電力（電力ＰＭＡＸ）となる点を示している。
【００５７】
動作点検出部６３は、図４（ａ）の波形Ｗ３に示すような、Ｉ−Ｖカーブ測定部５０が測定した太陽電池アレイ２全体のＩ−Ｖカーブを取得する。この例では、波形Ｗ３は、太陽電池アレイ２の一部が影になるなどして、Ｉ−Ｖカーブに落ち込みが生じている場合を示している。動作点検出部６３は、取得した太陽電池アレイ２全体のＩ−Ｖカーブ（波形Ｗ３）に基づいて、図４（ｂ）の波形Ｗ５のようなＰ−Ｖカーブを生成する。そして、動作点検出部６３は、生成したＰ−Ｖカーブ（波形Ｗ５）において、出力電力が最大になる点ＰＴ３１を検出する。動作点検出部６３は、波形Ｗ５上の点ＰＴ３１に対応する波形Ｗ３上の点ＰＴ３を最適動作点として検出する。
【００５８】
なお、図４に示す一例では、動作点推定部６２が推定した最適動作点の電力（電力期待値ＰＥ）と、インバータ部４０の電力測定部４１が測定した電力値（実発電電力値ＰＲ）とには、図４（ｂ）に示すように乖離がある。このため、動作点推定部６２が推定した最適動作点（点ＰＴ２）は、真の最適動作点ではなく、真の最適動作点は、点ＰＴ３となる。
【００５９】
次に、制御部６０は、太陽電池アレイ２の電圧指令値を最適動作電圧に変更する（ステップＳ１０７）。すなわち、制御部６０の電力制御部６１は、動作点検出部６３が検出した最適動作点に対応する電圧である最適動作電圧（図４の電圧Ｖ３）を電圧指令値として、インバータ部４０に出力する。インバータ部４０は、太陽電池アレイ２の出力電圧が、制御部６０から出力された電圧指令値に一致するように制御して、太陽電池アレイ２から出力された直流電力を交流電力に変換し、変換した交流電力を外部に供給する。
制御部６０は、ステップＳ１０７の処理後に、処理をステップＳ１０１に戻す。
【００６０】
以上説明したように、本実施形態における電力供給システム１は、太陽電池アレイ２と、レファレンス太陽電池部２０と、Ｉ−Ｖカーブ測定部５０と、インバータ部４０と、指令値を出力することにより、インバータ部４０を制御する制御部６０とを備えている。太陽電池アレイ２は、複数の太陽電池モジュールＳＣを有し、レファレンス太陽電池部２０は、等しい測定条件において、太陽電池モジュールＳＣと等しい出力特性（例、Ｉ−Ｖカーブ）を有している。Ｉ−Ｖカーブ測定部５０は、太陽電池アレイ２及びレファレンス太陽電池部２０の出力特性を測定する。インバータ部４０は、指令値に基づいて太陽電池アレイ２が出力した電力を変換し、変換した電力を外部に供給する。そして、制御部６０は、定期的にＩ−Ｖカーブ測定部５０が測定したレファレンス太陽電池部２０の出力特性に基づいて、太陽電池アレイ２の最適動作点を推定する推定処理と、推定処理において推定した最適動作点に応じた指令値をインバータ部４０に出力する第１出力処理とを実行する。さらに、制御部６０は、推定した最適動作点において太陽電池アレイ２が出力する電力の期待値（電力期待値ＰＥ）と、太陽電池アレイ２がインバータ部４０に出力している電力値（実発電電力値ＰＲ）とが所定量以上乖離している場合に、太陽電池アレイ２の出力特性をＩ−Ｖカーブ測定部５０に測定させる測定処理を実行する。そして、制御部６０は、Ｉ−Ｖカーブ測定部５０が測定した太陽電池アレイ２の出力特性に基づいて、最適動作点を検出する検出処理と、検出処理において検出した最適動作点に応じた変更指令値を指令値として、インバータ部４０に出力する第２出力処理とを実行する。
【００６１】
これにより、本実施形態における電力供給システム１は、太陽電池アレイ２が有する太陽電池モジュールＳＣと等しい出力特性を有するレファレンス太陽電池部２０の出力特性に基づいて最適動作点を推定する。レファレンス太陽電池部２０の出力特性は、例えば、日射量や温度が変動した場合や太陽電池アレイ２に経年変化が生じた場合に、太陽電池アレイ２の出力特性と同様に変動する。そのため、レファレンス太陽電池部２０の出力特性に基づいて最適動作点を推定することにより、本実施形態における電力供給システム１は、例えば、日射量や温度が変動した場合であっても、太陽電池アレイ２の出力特性の変動に追従させた最適動作点により電力を供給することができる。
また、例えば、太陽電池アレイ２の一部が影になるなどにより、推定した太陽電池アレイ２の最適動作点に乖離がある場合に、本実施形態における電力供給システム１は、Ｉ−Ｖカーブ測定部５０が測定した太陽電池アレイ２の出力特性に基づいて、最適動作点を検出する。そのため、本実施形態における電力供給システム１は、推定した太陽電池アレイ２の最適動作点に乖離がある場合であっても、最適動作点により電力を供給することができる。したがって、本実施形態における電力供給システム１は、太陽電池アレイ２の出力特性が変動した場合であっても、電力の供給効率の低下を低減することができる。
【００６２】
例えば、図４に示す一例では、太陽電池アレイ２全体のＰ−Ｖカーブ（図４（ｂ）の波形Ｗ５）に２つのピークが存在する。この波形Ｗ５の点ＰＴ２２において、従来の山登り法を用いて最適動作点を追従する制御を行おうとした場合、点ＰＴ２２の右側にピークが存在するため動作点を電圧上昇側に移動させる制御が行われる。そのため、従来の山登り法では、点ＰＴ２２から最適動作点である点ＰＴ３１に到達することは困難である。
これに対して、本実施形態における電力供給システム１は、Ｉ−Ｖカーブ測定部５０が測定した太陽電池アレイ２全体のＩ−Ｖカーブに基づいて最適動作点を検出するので、この波形Ｗ５の点ＰＴ２２においても、最適動作点である点ＰＴ３１に到達することができる。また、本実施形態における電力供給システム１は、Ｉ−Ｖカーブ測定部５０が測定した太陽電池アレイ２全体のＩ−Ｖカーブに基づいて最適動作点を検出するので、正確に最適動作点を検出することができる。
【００６３】
また、本実施形態における電力供給システム１は、従来の山登り法を用いた場合のように、太陽電池アレイ２の動作電圧を階段状に変化させる処理が不要になる。そのため、本実施形態における電力供給システム１は、定常時に持続的な動揺振幅が生じることがなく、最適動作点への収斂が不安定となることがないという効果を得ることができる。
【００６４】
また、本実施形態では、制御部６０は、上述の推定処理において、レファレンス太陽電池部２０の出力特性と、複数の太陽電池モジュールＳＣの接続情報（例えば、上述したシステム情報（直列個数Ｎ×並列個数Ｍ））とに基づいて、最適動作点を推定する。
これにより、本実施形態における電力供給システム１は、接続情報を用いることにより簡易な演算処理により、レファレンス太陽電池部２０の出力特性から最適動作点を推定することができる。
【００６５】
また、本実施形態における電力供給システム１は、太陽電池アレイ２の出力と、レファレンス太陽電池部２０の出力とを切替えてＩ−Ｖカーブ測定部５０に供給するスイッチ部３０を備えている。制御部６０は、推定処理において、スイッチ部３０にレファレンス太陽電池部２０の出力をＩ−Ｖカーブ測定部５０に供給させて、レファレンス太陽電池部２０の出力特性をＩ−Ｖカーブ測定部５０に測定させる。また、制御部６０は、測定処理において、電力期待値ＰＥと実発電電力値ＰＲとが所定量以上乖離している場合に、スイッチ部３０に太陽電池アレイ２の出力をＩ−Ｖカーブ測定部５０に供給させて、太陽電池アレイ２の出力特性をＩ−Ｖカーブ測定部５０に測定させる。
これにより、本実施形態における電力供給システム１は、太陽電池アレイ２全体の出力特性とレファレンス太陽電池部２０の出力特性とを、１つのＩ−Ｖカーブ測定部５０により測定できるので、構成を簡略化することができる。
【００６６】
また、本実施形態では、制御部６０は、電力期待値ＰＥと実発電電力値ＰＲとの比に基づいて、電力期待値ＰＥと実発電電力値ＰＲとが所定量以上乖離しているか否かを判定する。
これにより、本実施形態における電力供給システム１は、簡易な演算処理により、電力期待値ＰＥと実発電電力値ＰＲとに乖離が生じていることを判定することができる。
また、本実施形態における電力供給システム１は、電力期待値ＰＥと実発電電力値ＰＲとに乖離が生じている場合に、太陽電池アレイ２全体の出力特性の測定を実行するので、不必要な発電停止（発電機会損失）を低減することができる。
【００６７】
なお、本実施形態によれば、電力供給制御装置１００は、太陽電池の出力特性を測定するＩ−Ｖカーブ測定部５０と、インバータ部４０と、指令値を出力することにより、インバータ部４０を制御する制御部６０とを備えている。インバータ部４０は、指令値に基づいて、複数の太陽電池モジュールＳＣを有する太陽電池アレイ２が出力した電力を変換し、変換した電力を外部に供給する。制御部６０は、定期的にＩ−Ｖカーブ測定部５０が測定した、等しい測定条件において太陽電池モジュールＳＣと等しい出力特性を有するレファレンス太陽電池部２０の出力特性に基づいて、太陽電池アレイ２の最適動作点を推定する推定処理を実行する。また、制御部６０は、推定処理において推定した最適動作点に応じた指令値をインバータ部４０に出力する第１出力処理を実行する。また、制御部６０は、推定した最適動作点において太陽電池アレイ２が出力する電力の期待値と、太陽電池アレイ２がインバータ部４０に出力している電力値とが所定量以上乖離している場合に、太陽電池アレイ２の出力特性をＩ−Ｖカーブ測定部５０に測定させる測定処理を実行する。そして、制御部６０は、Ｉ−Ｖカーブ測定部５０が測定した太陽電池アレイ２の出力特性に基づいて、最適動作点を検出する検出処理と、検出処理において検出した最適動作点に応じた変更指令値を指令値として、インバータ部４０に出力する第２出力処理とを実行する。
これにより、本実施形態における電力供給制御装置１００は、電力供給システム１と同様の効果を奏する。
【００６８】
また、本実施形態における電力供給制御方法は、太陽電池アレイ２と、レファレンス太陽電池部２０と、Ｉ−Ｖカーブ測定部５０と、インバータ部４０とを備える電力供給システム１の電力供給制御方法である。本実施形態における電力供給制御方法は、以下の推定ステップと、第１出力ステップと、測定ステップと、検出ステップと、第２出力ステップとを含んでいる。推定ステップは、定期的にＩ−Ｖカーブ測定部５０が測定したレファレンス太陽電池部２０の出力特性に基づいて、太陽電池アレイ２の最適動作点を推定し、第１出力ステップは、推定ステップにおいて推定した最適動作点に応じた指令値をインバータ部４０に出力する。検出ステップは、推定した最適動作点において太陽電池アレイ２が出力する電力の期待値と、太陽電池アレイ２がインバータ部４０に出力している電力値とが所定量以上乖離している場合に、太陽電池アレイ２の出力特性をＩ−Ｖカーブ測定部５０に測定させる。検出ステップは、Ｉ−Ｖカーブ測定部５０が測定した太陽電池アレイ２の出力特性に基づいて、最適動作点を検出し、第２出力ステップは、検出ステップにおいて検出した最適動作点に応じた変更指令値を指令値として、インバータ部４０に出力する。
これにより、本実施形態における電力供給制御方法は、電力供給システム１と同様の効果を奏する。
【００６９】
［第２の実施形態］
次に、本発明に係る第２の実施形態について、図面を参照して説明する。
図５は、本実施形態による電力供給システム１ａを示す概略ブロック図である。
図５において、電力供給システム１ａは、太陽電池アレイ２、レファレンス太陽電池部２０、及び電力供給制御装置１００ａを備えている。
【００７０】
また、電力供給制御装置１００ａは、切替ＢＯＸ８０と、パワーコンディショナ（ＰＣＳ）１５０ａとを備えている。パワーコンディショナ１５０ａは、太陽電池アレイ２が発電した直流電力を交流電力に変換して、変換した電力を外部（供給先）に供給するとともに、太陽電池アレイ２の最適動作点において、電力を供給するように制御する。
また、パワーコンディショナ１５０ａは、スイッチ部３０（第１切替部）、インバータ部４０、Ｉ−Ｖカーブ測定部５０、制御部６０ａ、及びスイッチ７０を備えている。
なお、図５において、図１と同一の構成については同一の符号を付し、その説明を省略する。
【００７１】
本実施形態における電力供給システム１ａは、第１の実施形態における電力供給システム１の構成に、さらに、切替ＢＯＸ８０と、診断処理部６５とを備えることにより、直列太陽電池部１０単位（ストリング単位）の異常診断処理を実行する点が、第１の実施形態と異なる。
【００７２】
切替ＢＯＸ８０（第２切替部）は、直列太陽電池部１０ごとの出力を切替えてＩ−Ｖカーブ測定部５０に供給する。なお、本実施形態において、スイッチ部３０（第１切替部）と、切替ＢＯＸ８０（第２切替部）とは、切替部３に対応する。
また、切替ＢＯＸ８０は、スイッチ８１、スイッチ部８２、及びスイッチ部８３を備えている。なお、切替ＢＯＸ８０は、制御部６０ａから出力される制御信号（不図示）に基づいて、各種切替えを制御される。
【００７３】
スイッチ８１は、レファレンス太陽電池部２０の出力をＩ−Ｖカーブ測定部５０に供給する状態か否かを切替えるスイッチ素子である。スイッチ８１は、一端がレファレンス太陽電池部２０の出力線に、他端が切替ＢＯＸ８０内のノードＮ２に、それぞれ接続されている。
【００７４】
スイッチ部８２は、スイッチ８２＿１〜８２＿Ｍを備え、直列太陽電池部１０ごとの出力をＩ−Ｖカーブ測定部５０に供給する状態か否かを切替えるスイッチ素子である。スイッチ８２＿１〜８２＿Ｍは、一端が直列太陽電池部１０（１０＿１〜１０＿Ｍ）の各出力線に、他端がノードＮ２に、それぞれ接続されている。例えば、スイッチ８２＿１は、一端が直列太陽電池部１０＿１の出力線Ｌ１に、他端がノードＮ２に、それぞれ接続されている。また、例えば、スイッチ８２＿Ｍは、一端が直列太陽電池部１０＿Ｍの出力線ＬＭに、他端がノードＮ２に、それぞれ接続されている。
【００７５】
スイッチ部８３は、スイッチ８３＿１〜８３＿Ｍを備え、直列太陽電池部１０ごとの出力をインバータ部４０に供給する状態か否かを切替えるスイッチ素子である。スイッチ８３＿１〜８３＿Ｍは、一端が直列太陽電池部１０（１０＿１〜１０＿Ｍ）の各出力線に、他端が電力供給線ＬＰにそれぞれ接続されている。例えば、スイッチ８３＿１は、一端が直列太陽電池部１０＿１の出力線Ｌ１に、他端が電力供給線ＬＰに、それぞれ接続されている。また、例えば、スイッチ８３＿Ｍは、一端が直列太陽電池部１０＿Ｍの出力線ＬＭに、他端が電力供給線ＬＰに、それぞれ接続されている。
【００７６】
なお、切替ＢＯＸ８０は、レファレンス太陽電池部２０のＩ−Ｖカーブを測定する場合（第１の測定モードの場合）に、制御部６０ａによって、スイッチ８１が導通状態に、スイッチ部８２が非導通状態（遮断状態）に、スイッチ部８３が導通状態に、それぞれ設定される。すなわち、この状態では、レファレンス太陽電池部２０は、切替ＢＯＸ８０及びスイッチ部３０を介して出力をＩ−Ｖカーブ測定部５０に供給し、太陽電池アレイ２は、切替ＢＯＸ８０を介して電力供給線ＬＰに電力を供給する。また、切替ＢＯＸ８０は、太陽電池アレイ２全体のＩ−Ｖカーブを測定する場合（第２の測定モードの場合）にも、制御部６０ａによって、スイッチ８１、スイッチ部８２、及びスイッチ部８３が同様に設定される。
【００７７】
また、切替ＢＯＸ８０は、直列太陽電池部１０ごとのＩ−Ｖカーブを測定する場合（第３の測定モードの場合）に、制御部６０ａによって、スイッチ８１が非導通状態（遮断状態）に設定される。また、スイッチ部８２のうちの測定対象の直列太陽電池部１０に対応するスイッチが導通状態に、スイッチ部８３のうちの測定対象の直列太陽電池部１０に対応するスイッチが非導通状態（遮断状態）に、それぞれ設定される。例えば、直列太陽電池部１０＿１のＩ−Ｖカーブを測定する場合、スイッチ８２＿１が導通状態に、スイッチ８２＿２〜８２＿Ｍが非導通状態（遮断状態）に設定されるとともに、スイッチ８３＿１が非導通状態（遮断状態）に、スイッチ８３＿２〜８３＿Ｍが導通状態に設定される。
【００７８】
制御部６０ａは、例えば、ＣＰＵ（Central Processing Unit）などを含み、パワーコンディショナ１５０ａを統括的に制御する。制御部６０ａは、例えば、インバータ部４０を制御する。
また、制御部６０ａは、電力制御部６１、動作点推定部６２、動作点検出部６３、測定制御部６４ａ、及び診断処理部６５を備えている。
【００７９】
測定制御部６４ａは、上述した第１の実施形態の測定制御部６４と同様の処理を実行するとともに、電力期待値ＰＥと、実発電電力値ＰＲとが所定量以上乖離している場合に、切替部３に直列太陽電池部１０ごとの出力をＩ−Ｖカーブ測定部５０に供給させて、直列太陽電池部１０ごとの出力特性をＩ−Ｖカーブ測定部５０に測定させる（第３の測定モード）。
【００８０】
診断処理部６５は、電力期待値ＰＥと、実発電電力値ＰＲとが所定量以上乖離している場合に、Ｉ−Ｖカーブ測定部５０が測定した直列太陽電池部１０ごとのＩ−Ｖカーブに基づいて、直列太陽電池部１０ごとに異常を診断する異常診断処理を実行する。例えば、診断処理部６５は、レファレンス太陽電池部２０のＩ−Ｖカーブに基づいて、直列太陽電池部１０単位のＩ−Ｖカーブを推定する。診断処理部６５は、推定した直列太陽電池部１０単位のＩ−Ｖカーブと、Ｉ−Ｖカーブ測定部５０が測定した直列太陽電池部１０ごとのＩ−Ｖカーブとを比較し、当該比較結果に基づいて、直列太陽電池部１０ごとに異常を診断する。
【００８１】
また、診断処理部６５は、異常診断処理によって異常が診断された場合に、異常が診断された直列太陽電池部１０を示す情報を外部（例えば、外部表示装置など）に出力する異常出力処理を実行する。
【００８２】
次に、本実施形態における電力供給システム１ａの動作について説明する。
図６は、本実施形態に係る電力供給システム１ａにおける電力供給の制御処理の一例を示すフローチャートである。
なお、図６において、レファレンス太陽電池部２０をレファレンス太陽電池モジュールと表記し、直列太陽電池部１０をストリングと表記している。
【００８３】
図６において、ステップＳ２０１〜ステップＳ２０４の処理は、図３におけるステップＳ１０１〜ステップＳ１０４の処理と同様であるので、ここではその説明を省略する。
なお、本実施形態では、ステップＳ２０４において、測定制御部６４ａは、（実発電電力値ＰＲ／電力期待値ＰＥ）が所定の閾値以下である場合（ステップＳ２０４：ＹＥＳ）に、処理をステップＳ２０５に進める。
また、測定制御部６４ａは、（実発電電力値ＰＲ／電力期待値ＰＥ）が所定の閾値より大きいである場合（ステップＳ２０４：ＮＯ）に、処理をステップＳ２０１に戻す。
【００８４】
続くステップＳ２０５において、制御部６０ａは、太陽電池アレイ２においてストリング単位（直列太陽電池部１０単位）でＩ−Ｖカーブを測定する。すなわち、制御部６０ａの測定制御部６４ａは、切替部３に直列太陽電池部１０ごとの出力をＩ−Ｖカーブ測定部５０に供給させて、直列太陽電池部１０ごとのＩ−ＶカーブをＩ−Ｖカーブ測定部５０に測定させる。ここで、切替部３のスイッチ部３０は、スイッチ３１が非導通状態（遮断状態）に、スイッチ３２が導通状態に、スイッチ３３が非導通状態（遮断状態）に、それぞれ設定される。
また、切替部３の切替ＢＯＸ８０は、スイッチ８１が非導通状態（遮断状態）に設定される。また、スイッチ部８２のうちの測定対象の直列太陽電池部１０に対応するスイッチが導通状態に、スイッチ部８３のうちの測定対象の直列太陽電池部１０に対応するスイッチが非導通状態（遮断状態）に、それぞれ設定される。
【００８５】
この設定により、直列太陽電池部１０ごとの出力は、Ｉ−Ｖカーブ測定部５０に順番に切替えられて供給される。そして、Ｉ−Ｖカーブ測定部５０は、直列太陽電池部１０ごとの出力に対して、例えば、シンク電流（吸い込み電流）を変更して、太陽電池アレイ２全体のＩ−Ｖカーブを測定する。測定制御部６４ａは、Ｉ−Ｖカーブ測定部５０が測定した直列太陽電池部１０ごとのＩ−Ｖカーブを取得する。
【００８６】
次に、制御部６０ａは、ストリングに異常があるか否かを判定する（ステップＳ２０６）。制御部６０ａの診断処理部６５は、例えば、レファレンス太陽電池部２０のＩ−Ｖカーブと、Ｉ−Ｖカーブ測定部５０が測定した直列太陽電池部１０単位のＩ−Ｖカーブとを取得する。診断処理部６５は、取得したレファレンス太陽電池部２０のＩ−Ｖカーブ及び直列太陽電池部１０単位のＩ−Ｖカーブに基づいて直列太陽電池部１０単位で異常があるか否かを判定する。診断処理部６５は、直列太陽電池部１０に異常があると判定した場合（ステップＳ２０６：ＹＥＳ）に、処理をステップＳ２０７に進める。また、診断処理部６５は、全ての直列太陽電池部１０に異常がないと判定した場合（ステップＳ２０６：ＮＯ）に、処理をステップＳ２０８に進める。
【００８７】
次に、ステップＳ２０７において、制御部６０ａは、不具合ストリング（異常ストリング）を示す情報を電力供給システム１ａの外部に出力する。すなわち、制御部６０ａの診断処理部６５は、異常が診断された直列太陽電池部１０を示す情報を外部（例えば、外部表示装置など）に出力する異常出力処理を実行する。
【００８８】
次に、ステップＳ２０８〜ステップＳ２１０の処理は、図３におけるステップＳ１０５〜ステップＳ１０７の処理と同様であるので、ここではその説明を省略する。
【００８９】
以上説明したように、本実施形態における電力供給システム１ａ及び電力供給制御装置１００ａにおいて、太陽電池アレイ２は、所定の個数の太陽電池モジュールＳＣが接続された直列太陽電池部１０（部分太陽電池部）を複数備えている。なお、直列太陽電池部１０は、所定の個数の太陽電池モジュールＳＣが直列に接続されている。切替部３は、太陽電池アレイ２の出力と、レファレンス太陽電池部２０の出力とを切替えてＩ−Ｖカーブ測定部５０に供給するスイッチ部３０と、さらに、直列太陽電池部１０ごとの出力を切替えてＩ−Ｖカーブ測定部５０に供給する切替ＢＯＸ８０とを備えている。
そして、制御部６０ａは、電力期待値ＰＥと、実発電電力値ＰＲとが所定量以上乖離している場合に、異常診断処理と、異常出力処理とを実行する。制御部６０ａは、異常診断処理において、切替部３に直列太陽電池部１０ごとの出力をＩ−Ｖカーブ測定部５０に供給させて、直列太陽電池部１０ごとの出力特性をＩ−Ｖカーブ測定部５０に測定させるとともに、Ｉ−Ｖカーブ測定部５０が測定した直列太陽電池部１０ごとの出力特性に基づいて、直列太陽電池部１０ごとに異常を診断する。制御部６０ａは、異常出力処理において、異常診断処理によって異常が診断された場合に、異常が診断された直列太陽電池部１０を示す情報を出力する。
【００９０】
これにより、本実施形態における電力供給システム１ａ及び電力供給制御装置１００ａは、第１の実施形態と同様の効果を奏するとともに、太陽電池アレイ２の発電診断及び不具合（異常）が生じた直列太陽電池部１０の特定を精度よく行うことができる。そのため、本実施形態における電力供給システム１ａは、太陽電池アレイ２に不具合（異常）が生じた場合に、システムの復旧までの期間を低減することができる。
【００９１】
なお、本発明は、上記の各実施形態に限定されるものではなく、本発明の趣旨を逸脱しない範囲で変更可能である。
例えば、上記の各実施形態では、レファレンス太陽電池部２０を太陽電池アレイ２から独立した構成として説明したが、レファレンス太陽電池部２０は、太陽電池アレイ２が有する複数の太陽電池モジュールＳＣのうちの１つであってもよい。
これにより、太陽電池アレイ２の太陽電池モジュールＳＣとレファレンス太陽電池部２０とを共用できるので、電力供給システム１（１ａ）は、構成を簡略化することができる。
【００９２】
また、この場合、切替部３を太陽電池モジュールＳＣの出力ごとに、Ｉ−Ｖカーブ測定部５０に切替えて接続可能な構成にすることにより、太陽電池アレイ２が有する任意の太陽電池モジュールＳＣをレファレンス太陽電池部２０として使用することが可能になる。
これにより、レファレンス太陽電池部２０に故障などの異常が生じた場合であっても、適切に最適動作点を推定することができるので、電力供給システム１（１ａ）の信頼性を向上させることができる。
【００９３】
また、上記の各実施形態では、電力供給システム１（１ａ）は、１つのレファレンス太陽電池部２０を備える形態を説明したが、これに限定されるものではない。電力供給システム１（１ａ）は、例えば、図７に示すように、複数（例えば、３つ）のレファレンス太陽電池部２０（２０Ａ，２０Ｂ，３０Ｃ）を備え、制御部６０（６０ａ）は、推定処理において、複数のレファレンス太陽電池部２０の出力特性の平均値に基づいて、最適動作点を推定する形態であってもよい。
【００９４】
なお、図７において、太陽電池アレイ２は、６つの直列太陽電池部１０（１０＿１〜１０＿６）を備えている。また、レファレンス太陽電池部２０（２０Ａ，２０Ｂ，３０Ｃ）は、それぞれ、２つの直列太陽電池部１０の間に配置されている。こうすることにより、レファレンス太陽電池部２０と太陽電池アレイ２との環境の差を低減することができるので、電力供給システム１（１ａ）は、レファレンス太陽電池部２０のＩ−Ｖカーブに基づいて、正確に最適動作点を推定することができる。
【００９５】
また、上記の各実施形態において、太陽電池アレイ２のシステム情報には、直列個数（Ｎ）×並列個数（Ｍ）のような太陽電池アレイ２の構成を示す情報を用いる形態を説明したが、システム情報には、各太陽電池モジュールＳＣ間の配線抵抗を示す情報を含めてもよい。この場合、動作点推定部６２は、配線抵抗を示す情報を含めたシステム情報に基づいて、配線抵抗が考慮された最適動作点を推定するので、正確に最適動作点を推定することができる。
【００９６】
また、上記の各実施形態において、単位太陽電池を太陽電池モジュールＳＣ（太陽電池パネル）とする場合を説明したが、太陽電池の基本単位である太陽電池素子（太陽電池セル）を単位太陽電池としてもよい。
【００９７】
また、上記の各実施形態において、部分太陽電池部を直列太陽電池部１０とする場合を説明したが、太陽電池モジュールＳＣを並列に接続した並列太陽電池部を部分太陽電池部としてもよい。この場合、第２の実施形態において、診断処理部６５は、この並列太陽電池部ごとに異常を診断してもよい。
【００９８】
また、上記の各実施形態において、電力供給システム１（１ａ）は、レファレンス太陽電池部２０が生成する電力を利用してもよい。例えば、パワーコンディショナ１５０（１５０ａ）が外部に供給する電力の一部として、レファレンス太陽電池部２０が生成する電力を含めてもよい。また、Ｉ−Ｖカーブ測定部５０、インバータ部４０、又は制御部６０を動作させる電力に、レファレンス太陽電池部２０が生成する電力を用いてもよい。また、この場合、Ｉ−Ｖカーブ測定部５０がレファレンス太陽電池部２０のＩ−Ｖカーブを測定している間の動作電力を確保するために、電力供給システム１（１ａ）は、レファレンス太陽電池部２０が生成した電力を蓄電する蓄電池を備えてもよい。
【００９９】
また、上記の各実施形態において、１つのＩ−Ｖカーブ測定部５０によって、レファレンス太陽電池部２０のＩ−Ｖカーブと、太陽電池アレイ２のＩ−Ｖカーブとの両方が測定される形態を説明したが、これに限定されるものではない。例えば、電力供給システム１（１ａ）は、レファレンス太陽電池部２０のＩ−Ｖカーブと、太陽電池アレイ２のＩ−Ｖカーブとをそれぞれ測定する２つのＩ−Ｖカーブ測定部５０を備える形態でもよい。また、Ｉ−Ｖカーブ測定部５０は、レファレンス太陽電池部２０のＩ−Ｖカーブと、直列太陽電池部１０ごとのＩ−Ｖカーブとを並列して測定する構成としてもよい。この場合、レファレンス太陽電池部２０のＩ−Ｖカーブと、直列太陽電池部１０ごとのＩ−Ｖカーブとをほぼ同時に測定することができるので、直列太陽電池部１０の異常の診断を正確に行うことができる。
【０１００】
また、上記の各実施形態において、スイッチ部３０をパワーコンディショナ１５０（１５０ａ）に含める形態を説明したが、電力供給システム１（１ａ）は、パワーコンディショナ１５０（１５０ａ）の外部にスイッチ部３０を備える形態であってもよい。また、Ｉ−Ｖカーブ測定部５０をパワーコンディショナ１５０（１５０ａ）に含める形態を説明したが、電力供給システム１（１ａ）は、パワーコンディショナ１５０（１５０ａ）の外部にＩ−Ｖカーブ測定部５０を備える形態であってもよい。
【０１０１】
また、上記の第２の実施形態において、電力供給システム１（１ａ）は、切替ＢＯＸ８０をパワーコンディショナ１５０ａの外部に備える形態を説明したが、パワーコンディショナ１５０ａの内部にスイッチ部３０とともに備える形態であってもよい。
【０１０２】
また、上記の各実施形態において、電力供給システム１（１ａ）は、電力変換部の一例としてインバータ部４０を備える形態を説明したが、インバータ部４０の代わりに、ＤＣ−ＤＣ変換部のような直流変換部を備える形態であってもよい。
【０１０３】
なお、電力供給システム１（１ａ）、及び電力供給制御装置１００（１００ａ）の機能を実現するためのプログラムをコンピュータ読み取り可能な記録媒体に記録して、この記録媒体に記録されたプログラムをコンピュータシステムに読み込ませ、実行することにより電力供給システム１（１ａ）、及び電力供給制御装置１００（１００ａ）の各機能による処理を行ってもよい。すなわち、上述の電力供給システム１（１ａ）、及び電力供給制御装置１００（１００ａ）は内部に、コンピュータシステムを有している。そして、上述した電力供給制御の処理過程は、プログラムの形式でコンピュータ読み取り可能な記録媒体に記憶されており、このプログラムをコンピュータが読み出して実行することによって、上記処理が行われてもよい。
【０１０４】
なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１０５】
１、１ａ  電力供給システム
２  太陽電池アレイ
３  切替部
１０、１０＿１〜１０＿Ｍ  直列太陽電池部
２０、２０Ａ、２０Ｂ、２０Ｃ  レファレンス太陽電池部
３０、８２、８３  スイッチ部
３１、３２、３３、７０、８１、８２＿１〜８２＿Ｍ、８３＿１〜８３＿Ｍ  スイッチ
４０  インバータ部
４１  電力測定部
５０  Ｉ−Ｖカーブ測定部
６０、６０ａ  制御部
６１  電力制御部
６２  動作点推定部
６３  動作点検出部
６４、６４ａ  測定制御部
６５  診断処理部
１００、１００ａ  電力供給制御装置
１５０、１５０ａ  パワーコンディショナ
ＳＣ  太陽電池モジュール
【図１】
2014081669.tif 000003
【図２】
2014081669.tif 000004
【図３】
2014081669.tif 000005
【図４】
2014081669.tif 000006
【図５】
2014081669.tif 000007
【図６】
2014081669.tif 000008
【図７】
2014081669.tif 000009